【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
送信機と、
受信機と、
プロセッサと、を備え、
前記プロセッサは、前記受信機によって無線送受信ユニット（ＷＴＲＵ）から受信された要求に基づいて前記ＷＴＲＵに対する拡張アップリンク（ＥＵ）リソースおよび関連するハイブリッド自動再送要求（ＨＡＲＱ）プロセスを割り当て、前記受信機によって、ゼロに等しい合計Ｅ−ＤＣＨバッファステータス（ＴＥＢＳ）を含むスケジューリング情報（ＳＩ）がＷＴＲＵから受信され、前記ＨＡＲＱプロセスに関連するＨＡＲＱ送信が完了した場合に、前記割り当てられたＥＵリソースを解放する、装置。
【請求項２】
前記割り当てられたＥＵリソースは、拡張受信確認表示チャネルを介して前記ＷＴＲＵに送信される、請求項１に記載の装置。
【請求項３】
前記受信機は、前記ＷＴＲＵからランダムアクセスチャネルプリアンブルを受信し、
前記送信機は、前記割り当てられたＥＵリソースの送信に先立って、前記ランダムアクセスチャネルプリアンブルへの応答を送信する、請求項１に記載の装置。
【請求項４】
前記受信機は、前記割り当てられたＥＵリソースの送信後に前記ＷＴＲＵから前記ＥＵデータを受信する、請求項３に記載の装置。
【請求項５】
前記ＨＡＲＱプロセスは、前記受信ＥＵデータに応答して肯定応答（ＡＣＫ）、及び否定応答（ＮＡＣＫ）を生成し、
前記送信機は、前記ＡＣＫ、及び前記ＮＡＣＫを前記ＷＴＲＵに送信する、請求項４に記載の装置。
【請求項６】
前記ＨＡＲＱ送信は、前記ＨＡＲＱプロセスによって制御されるＨＡＲＱバッファが空である場合に完了する、請求項１に記載の装置。
【請求項７】
無線送受信ユニット（ＷＴＲＵ）から受信された要求に基づいて前記ＷＴＲＵに対する拡張アップリンク（ＥＵ）リソースおよび関連するハイブリッド自動再送要求（ＨＡＲＱ）プロセスを割り当てるステップと、
ゼロに等しい合計Ｅ−ＤＣＨバッファステータス（ＴＥＢＳ）を含むスケジューリング情報（ＳＩ）がＷＴＲＵから受信され、前記ＨＡＲＱプロセスに関連するＨＡＲＱ送信が完了した場合に、前記割り当てられたＥＵリソースを解放するステップと、を備える方法。
【請求項８】
前記割り当てられたＥＵリソースは、拡張受信確認表示チャネルを介して前記ＷＴＲＵに送信される、請求項７に記載の方法。
【請求項９】
前記ＷＴＲＵからランダムアクセスチャネルプリアンブルを受信するステップと、
前記割り当てられたＥＵリソースの送信に先立って、前記ランダムアクセスチャネルプリアンブルへの応答を送信するステップと、をさらに備える請求項７に記載の方法。
【請求項１０】
前記割り当てられたＥＵリソースの送信後に前記ＷＴＲＵから前記ＥＵデータを受信するステップ、をさらに備える請求項９に記載の方法。
【請求項１１】
前記ＨＡＲＱプロセスによって、前記受信ＥＵデータに応答して肯定応答（ＡＣＫ）、及び否定応答（ＮＡＣＫ）を生成するステップと、
前記ＡＣＫ、及び前記ＮＡＣＫを前記ＷＴＲＵに送信するステップと、をさらに備える請求項１０に記載の方法。
【請求項１２】
前記ＨＡＲＱ送信は、前記ＨＡＲＱプロセスによって制御されるＨＡＲＱバッファが空である場合に完了する、請求項７に記載の方法。
【請求項１３】
複数の基地局を備え、
前記複数の基地局のうちの少なくとも一つの基地局は、無線受信機と、無線送信機と、プロセッサとを有し、
前記プロセッサは、前記無線受信機によって無線送受信ユニット（ＷＴＲＵ）から受信された要求に基づいて前記ＷＴＲＵに対する拡張アップリンク（ＥＵ）リソースおよび関連するハイブリッド自動再送要求（ＨＡＲＱ）プロセスを割り当て、前記無線受信機によって、ゼロに等しい合計Ｅ−ＤＣＨバッファステータス（ＴＥＢＳ）を含むスケジューリング情報（ＳＩ）がＷＴＲＵから受信され、前記ＨＡＲＱプロセスに関連するＨＡＲＱ送信が完了した場合に、前記割り当てられたＥＵリソースを解放する、無線通信システム。
【請求項１４】
前記割り当てられたＥＵリソースは、拡張受信確認表示チャネルを介して前記ＷＴＲＵに送信される、請求項１３に記載の無線通信システム。
【請求項１５】
前記無線受信機は、前記ＷＴＲＵからランダムアクセスチャネルプリアンブルを受信し、
前記無線送信機は、前記割り当てられたＥＵリソースの送信に先立って、前記ランダムアクセスチャネルプリアンブルへの応答を送信する、請求項１３に記載の無線通信システム。
【請求項１６】
前記無線受信機は、前記割り当てられたＥＵリソースの送信後に前記ＷＴＲＵから前記ＥＵデータを受信する、請求項１５に記載の無線通信システム。
【請求項１７】
前記ＨＡＲＱプロセスは、前記受信ＥＵデータに応答して肯定応答（ＡＣＫ）、及び否定応答（ＮＡＣＫ）を生成し、
前記無線送信機は、前記ＡＣＫ、及び前記ＮＡＣＫを前記ＷＴＲＵに送信する、請求項１６に記載の無線通信システム。
【請求項１８】
無線ネットワークによって無線送受信ユニット（ＷＴＲＵ）から受信された要求に基づいて前記ＷＴＲＵに対する拡張アップリンク（ＥＵ）リソースおよび関連するハイブリッド自動再送要求（ＨＡＲＱ）プロセスを割り当てるステップと、
前記無線ネットワークによって、ゼロに等しい合計Ｅ−ＤＣＨバッファステータス（ＴＥＢＳ）を含むスケジューリング情報（ＳＩ）がＷＴＲＵから受信され、前記ＨＡＲＱプロセスに関連するＨＡＲＱ送信が完了した場合に、前記割り当てられたＥＵリソースを解放するステップと、を備える方法。
【請求項１９】
前記割り当てられたＥＵリソースは、拡張受信確認表示チャネルを介して前記ＷＴＲＵに送信される、請求項１８に記載の方法。
【請求項２０】
前記無線ネットワークにおいて、前記ＷＴＲＵからランダムアクセスチャネルプリアンブルを受信するステップと
前記無線ネットワークによって、前記割り当てられたＥＵリソースの送信に先立って、前記ランダムアクセスチャネルプリアンブルへの応答を送信するステップと、をさらに備える請求項１８に記載の方法。
【請求項２１】
前記無線ネットワークにおいて、前記割り当てられたＥＵリソースの送信後に前記ＷＴＲＵから前記ＥＵデータを受信するステップ、をさらに備える請求項２０に記載の方法。
【請求項２２】
前記無線ネットワークにおいて、前記ＨＡＲＱプロセスによって、前記受信ＥＵデータに応答して肯定応答（ＡＣＫ）、及び否定応答（ＮＡＣＫ）を生成するステップと、
前記無線ネットワークによって、前記ＡＣＫ、及び前記ＮＡＣＫを前記ＷＴＲＵに送信するステップと、をさらに備える請求項２１に記載の方法。
【請求項２３】
受信機と、
送信機と、
プロセッサと、を備え、
前記プロセッサは、無線ネットワークから拡張アップリンク（ＥＵ）リソースを要求し、ゼロに等しい合計Ｅ−ＤＣＨバッファステータス（ＴＥＢＳ）を含むスケジューリング情報（ＳＩ）が送信され、ＨＡＲＱ送信が完了した場合に、割り当てられたＥＵリソースを解放する、無線送受信ユニット（ＷＴＲＵ）。
【請求項２４】
前記割り当てられたＥＵリソースは、拡張受信確認表示チャネルを介して前記ＷＴＲＵにより受信される、請求項２３に記載のＷＴＲＵ。
【請求項２５】
前記送信機は、前記無線ネットワークへランダムアクセスチャネルプリアンブルを送信し、
前記受信機は、前記割り当てられたＥＵリソースの送信に先立って、前記ランダムアクセスチャネルプリアンブルへの応答を受信する、請求項２３に記載のＷＴＲＵ。
【請求項２６】
前記送信機は、前記割り当てられたＥＵリソースの受信後に前記無線ネットワークへ前記ＥＵデータを送信する、請求項２５に記載のＷＴＲＵ。
【請求項２７】
前記ＨＡＲＱ送信は、前記ＨＡＲＱバッファが空である場合に完了する、請求項２３に記載のＷＴＲＵ。
【請求項２８】
無線ネットワークから拡張アップリンク（ＥＵ）リソースを要求するステップと、
ゼロに等しい合計Ｅ−ＤＣＨバッファステータス（ＴＥＢＳ）を含むスケジューリング情報（ＳＩ）が送信され、ＨＡＲＱ送信が完了した場合に、割り当てられたＥＵリソースを解放するステップと、を備える方法。
【請求項２９】
前記割り当てられたＥＵリソースは、拡張受信確認表示チャネルを介して前記ＷＴＲＵにより受信される、請求項２８に記載の方法。
【請求項３０】
前記無線ネットワークへランダムアクセスチャネルプリアンブルを送信するステップと、
前記割り当てられたＥＵリソースの送信に先立って、前記ランダムアクセスチャネルプリアンブルへの応答を受信するステップと、をさらに備える請求項２８に記載の方法。
【請求項３１】
前記割り当てられたＥＵリソースの受信後に前記無線ネットワークへ前記ＥＵデータを送信するステップ、をさらに備える請求項３０に記載の方法。
【請求項３２】
前記ＨＡＲＱ送信は、前記ＨＡＲＱバッファが空である場合に完了する、請求項２８に記載の方法。